(57)【要約】【課題】  記録前に、設定中の記録モードで画像を記録した場合の再生画像の画質を予め確認できる画質確認機能を有し、かつ、画質確認機能の実行による消費電力の増加が抑制された画像記録装置および画像記録装置の駆動方法を提供する。【解決手段】  画質確認用データ処理部２は、符号器５で行われる符号化処理の一部と復号化処理とを行う符号化・復号化部１６と、メモリ１５を備える。ユーザインターフェイス３の画質確認開始操作キーが操作されると、画質確認用データ処理部２が駆動状態に制御される。読み出し／表示制御部７は、画質確認モード実行時には、メモリ１５に格納された確認用画像を読み出して、表示部８に表示する。ユーザインターフェイス３の画質調整ボタンの操作に応じて、符号器５および画質確認用データ処理部２で用いられる符号化パラメータが変更されて、符号器５および画質確認用データ処理部２におけるデータ圧縮率が変化する。【選択図】  図１
2006319641.tif 000002
【特許請求の範囲】
【請求項１】
撮像部が取得した画像のデータ量を圧縮して記録する画像記録装置であって、
撮像部と、
表示部と、
前記撮像部が取得した画像データに符号化処理を行う符号器と、
前記撮像部が取得した画像データに前記符号器が行う符号化処理の一部の処理とその復号化処理とを行う符号化・復号化部と、当該符号化・復号化部の出力を格納するメモリとを備えた画質確認用データ処理部と、
画質確認モード実行開始キーと、前記符号器および前記符号化・復号化部とにおけるデータ圧縮率を調整するための圧縮率調整キーを含むユーザ操作部と、
前記圧縮率調整キーの操作に応じて、前記符号器および前記符号化・復号化部で用いる符号化パラメータを設定する符号化パラメータ設定部と、
前記画質確認モード実行開始キーの操作に応じて、前記符号化・復号化部を駆動状態に制御する駆動制御部と、
前記画質確認モード実行開始キーの操作に応じて、前記メモリが格納する画像を読み出して前記表示部に表示する読み出し表示制御部とを備えた画像記録装置。
【請求項２】
前記符号器は、
離散コサイン変換処理および量子化処理を行う第１のＤＣＴ／量子化部を備え、
前記符号化・復号化部は、
前記第１のＤＣＴ／量子化部と同じ処理を行う第２のＤＣＴ／量子化部と、
前記第２の逆量子化／ＩＤＣＴ部が行う処理の逆処理を行う逆量子化／ＩＤＣＴ部とを備える、請求項１に記載の画像記録装置。
【請求項３】
前記ユーザ操作部は、表示方法切り替えキーを有し、
前記読み出し表示制御部は、前記画質確認モード実行中の前記表示方法切り替えキーの操作に応じて、前記メモリから読み出した画像のみ、または、前記メモリから読み出した画像と前記撮像部が取得した画像とを用いて、前記表示部に表示する画像を生成することを特徴とする、請求項１に記載の画像記録装置。
【請求項４】
前記画質確認モード実行開始キーの操作に応じて、所定時間まで経過時間を計測するタイマを備え、
前記読み出し表示制御部は、前記タイマが計測を終了するまでの間、前記メモリが格納する画像を読み出して前記表示部に表示することを特徴とする、請求項１に記載の画像記録装置。
【請求項５】
撮像部と、表示部と、撮像部が取得した画像データを復号化して記録する復号器とを備えた画像記録装置の駆動方法であって、
前記符号器が行う符号化処理の一部処理とその復号化処理とを行う符号化・復号化部を駆動状態に制御するステップと、
前記符号化・復号化部の出力を前記表示部に表示するステップとを備えた、画像記録装置の駆動方法。
【発明の詳細な説明】
【技術分野】
【０００１】
本発明は画像記録装置及び画像記録装置の駆動方法に関する。
【背景技術】
【０００２】
現在普及しているカムコーダなどの画像記録装置は、一般的に、ユーザによって選択された記録モードで記録が行われるようになっている。記録モードの違いは、デジタル画像データの圧縮率の違いであり、低い圧縮率で記録されたときほど、その再生画像は高画質になる。一方で、圧縮率を高くするほどデータ量は少なくなるために、より長時間の動画を一つの記録媒体に記録できることになる。よって、ユーザは、記録する画像の種類や重要度や記録時間を考慮して記録モードを選択すればよい。
【０００３】
ところで、現存する画像記録装置には、選択された記録モードで記録した場合に再生画像の画質がどのようになるかを事前に確認できる機能を有するものはなく、画質を確認するためには、「撮影して記録する」「記録されたデータを特定する」「特定したデータを再生する」といった一連の操作を行わなければない。このような操作の煩雑さからユーザは、画質を確認せずに撮影し、後に鑑賞して初めて、想定していたよりも画質が悪いと感じることが珍しくなかった。
【０００４】
このような問題点に着目した技術として、特許文献１に、画質確認機能を有する画像記録装置（デジタルＶＴＲ）が開示されている。この文献に記載の画像記録装置では、画質確認時に記録媒体には記録をしない撮影を行って、記録媒体以外のメモリに画像データを一旦格納する。そして、その画像データを所定単位で読み出して、順次、符号化・復号化処理して１フレーム分の画像データを取得し、表示部に表示するようになっている。
【特許文献１】特開２００３−５２０１６号公報
【発明の開示】
【発明が解決しようとする課題】
【０００５】
しかしながら、特許文献１に記載の画像記録装置では、画質確認機能実行時に符号器と復号器とを全て動作させるために、画質確認のために要する電力量が大きい。電源に電池を用いる画像記録装置では、記録前の消費電力量が多いと、その分、記録可能時間が短くなってしまうために、画質確認時の消費電力量を出来る限り抑制する必要がある。
【課題を解決するための手段】
【０００６】
したがって本発明は、記録前に、設定中の記録モードで記録した場合の再生画像の画質を確認できる画質確認機能を有し、かつ、画質確認機能の実行による消費電力量の増加が抑制された画像記録装置および画像記録装置の駆動方法を提供することを目的としている。
【０００７】
本発明に係る画像記録装置は、撮像部が取得した画像のデータ量を圧縮して記録する画像記録装置であって、撮像部と、表示部と、撮像部が取得した画像データに符号化処理を行う符号器と、撮像部が取得した画像データに符号器が行う符号化処理の一部の処理とその復号化処理とを行う符号化・復号化部と、符号化・復号化部の出力を格納するメモリとを備えた画質確認用データ処理部と、画質確認モード実行開始キーと、符号器および符号化・復号化部とにおけるデータ圧縮率を調整するための圧縮率調整キーを含むユーザ操作部と、圧縮率調整キーの操作に応じて、符号器および符号化・復号化部で用いる符号化パラメータを設定する符号化パラメータ設定部と、画質確認モード実行開始キーの操作に応じて、符号化・復号化部を駆動状態に制御する駆動制御部と、画質確認モード実行開始キーの操作に応じて、メモリが格納する画像を読み出して表示部に表示する読み出し表示制御部とを備える。
【０００８】
符号器は、離散コサイン変換処理および量子化処理を行う第１のＤＣＴ／量子化部を備え、符号化・復号化処理部は、第１のＤＣＴ／量子化部と同じ処理を行う第２のＤＣＴ／量子化部と、第２の逆量子化／ＩＤＣＴ部が行う処理の逆処理を行う逆量子化／ＩＤＣＴ部とを備えていてもよい。
【０００９】
また、ユーザ操作部が、表示方法切り替えキーを有し、読み出し表示制御部が、画質確認モード実行中の表示方法切り替えキーの操作に応じて、メモリから読み出した画像のみ、または、メモリから読み出した画像と撮像部が取得した画像とを用いて、表示部に表示する画像を生成するようにしてもよい。
【００１０】
また、画質確認モード実行開始キーの操作に応じて、所定時間まで経過時間を計測するタイマを備え、読み出し表示制御部は、前記タイマが計測を終了するまでの間、前記メモリが格納する画像を読み出して前記表示部に表示するようにしてもよい。
【００１１】
本発明に係る画像記録装置の駆動方法は、撮像部と、表示部と、撮像部が取得した画像データを復号化して記録する復号器とを備えた画像記録装置の駆動方法であって、符号器が行う符号化処理の一部処理とその復号化処理とを行う符号化・復号化部を駆動状態に制御するステップと、符号化・復号化部の出力を表示部に表示するステップとを備える。
【発明の効果】
【００１２】
画質確認モード実行時には、符号器で行われる符号化処理の一部と復号化処理とを施して得られた画像が、表示部に表示される。よって、ユーザは、表示部に表示された、設定中の記録モードで記録した場合の再生画像に相当する画像（確認用画像）を見て画質を確認し、調整することができる。このように、本発明に係る画像記録装置によれば、記録前に予め、設定中の記録モードで記録した場合の再生画像の画質を確認することができる。
【００１３】
本発明に係る画像記録装置は、画質確認モードの実行に要する電力量が少ないという利点を有している。画像記録装置で画像を記録して再生する場合には、符号器と復号器とを全て動作させることになるため消費電力が大きいが、本発明に係る画像記録装置では、画質確認モード実行時には、符号器の一部に相当する部分だけを動作させるために、その消費電力は小さい。
【００１４】
また、記録媒体等に画像を記録してそれを再生する場合には、同じ場面のカメラ画像と再生画像とを同時に表示することはできないが、本発明に係る画像記録装置では、同じ場面のカメラ画像と再生画像に相当する画像とをほぼ同時に表示することができる。よって、ユーザは、カメラ画像の画質を基準にして比較しながら、画質を調整することもできる。
【発明を実施するための最良の形態】
【００１５】
（第１の実施形態）
図１は、本発明の実施形態に係る画像記録装置１のブロック図である。また、図２は、画像記録装置１がカムコーダである場合の外観図の一例を示している。図１に示す画像記録装置１は、ユーザインターフェイス（ＵＩ）３、制御部４、カメラ部６、符号器５、記録媒体１０、画質確認用データ処理部２、読み出し／表示制御部７および表示部８を備えている。符号器５は、ＭＰＥＧに代表される動画圧縮方式で符号化処理を行うブロックである。画質確認用データ処理部２は、符号器５が行う符号化処理の一部処理と、その復号化処理とを行う符号化・復号化部１６と、符号化・復号化部１６の出力を一時的に格納するメモリ１５とを備えている。
【００１６】
図１に示すユーザインターフェイス３には、図２に示す電源ボタン３１、画質調整ボタン３２、記録ボタン３３、表示切り替えボタン３４等の操作キーが設けられている。図２に示すカメラレンズ３６および表示画面３８は、それぞれ、図１に示すカメラ部６および表示部８に含まれる。ユーザインターフェイス３の操作キーが操作されると、操作に応じた信号が制御部４に入力される。制御部４は、入力信号に基づいて、画質確認用データ処理部２および、その他の各部５〜７を制御する。
【００１７】
画像記録装置１は、特有の機能モードとして、画質確認モードを有している。画質確認モード実行中には、記録媒体１０に記録して再生した画像（以下、再生画像という）に相当する画質で、カメラ部６が撮影した画像が表示部８に表示される。ユーザは、画質を確認しながら画質調整ボタン３２を操作して、許容できる画質になるよう符号器５のデータ圧縮率を設定し直すことができる。なお、圧縮率が高いほど、データ量が低減される代わりに、再生画像の画質は低下する。
【００１８】
図３は、図１に示す画像記録装置１のうち、ユーザインターフェイス３、画質確認用データ処理部２および符号器５の構成の例をより具体的に示したブロック図である。符号器５は、データ伝送経路を選択するセレクタ１１、差分器２１、第１の離散コサイン変換（ＤＣＴ；Discrete Cosine Transform）／量子化部２２、可変長符号化（ＶＬＣ：Variable Length Coding）部２３、第１の逆量子化／逆離散コサイン変換（ＩＤＣＴ；Inverse Discrete Cosine Transform）部２４、加算器２８、フレームメモリ２７、動き検出（ＭＥ;Motion Estimation）部２５および、動き補償（ＭＣ;Motion Compensation）部２６を備えている。
【００１９】
画質確認用データ処理部２は、データ伝送経路を選択するセレクタ１２、第２のＤＣＴ／量子化部１３、第２の逆量子化／ＩＤＣＴ部１４およびメモリ１５を備えている。第２のＤＣＴ／量子化部１３および第２の逆量子化／ＩＤＣＴ部１４は、図１に示す符号化・復号化部１６を構成し、それぞれ、第１のＤＣＴ／量子化部２２および第１の逆量子化／ＩＤＣＴ部２４と同じ処理を行う。メモリ１５は、少なくとも１フレーム分の画像を格納できる記憶容量を有し、第２の逆量子化／ＩＤＣＴ部１４の出力を一時的に格納する。
【００２０】
第１および第２のＤＣＴ／量子化部２２および１３は、入力データを８×８画素単位で２次元ＤＣＴ処理した後に、符号化パラメータを用いて量子化処理を行い、その結果を出力する。第１および第２の逆量子化／ＩＤＣＴ部２４および１４は、第１および第２のＤＣＴ／量子化部２２および１３で行われる処理の逆処理を実行する。即ち、入力データを８×８画素単位で逆量子化処理した後に、２次元ＩＤＣＴ処理を行い、その結果を出力する。ＶＬＣ部２３は、入力データを可変長符号化処理して出力する。符号器５および画質確認用データ処理部２で用いられる符号化パラメータは、画質調整ボタン３２の操作に応じて制御部４が出力する符号化パラメータ設定信号Ｓｐによって設定される。
【００２１】
動き検出部２５は、カメラ部６が出力した画像（以下、カメラ画像という）と、フレームメモリ２７に格納されている画像（以下、参照画像という）とを比較してフレーム間の動き検出を行い、動きベクトルを出力する。動き補償部２６は、参照画像と、動き補償部２６が出力した動きベクトルとに基づいて予測フレーム画像を生成し、出力する。差分器２１は、カメラ画像と予測フレーム画像の差分を求めて出力する。また、加算器２８は、予測フレーム画像と、第１の逆量子化／ＩＤＣＴ部２４の出力との和（１フレーム分の画像）を求めて出力する。
【００２２】
制御部４は、画質確認用データ処理部２および、その他の各部５〜７の駆動状態制御機能を備えている。具体的には、制御部４は、ユーザインターフェイス３が出力した信号に応じて、符号器５には制御信号Ｓｓ０（非駆動信号）またはＳｓ１（駆動信号）を、画質確認用データ処理部２には制御信号Ｓｑ０（非駆動信号）またはＳｑ１（駆動信号）を、
また、読み出し／表示制御部７に表示信号Ｓｄ０（カメラ画像表示信号）、Ｓｄ１〜Ｓｄ４（確認用画像表示信号）をそれぞれ出力する。制御信号Ｓｓ０／１およびＳｑ０／１に応じて、セレクタ１１および１２の制御（画質確認用データ処理部２および符号器５に対するデータ入力／非入力切り替え）および、符号器５および画質確認用データ処理部２の駆動／非駆動制御が行われる。
【００２３】
以下では、図４〜図１１を参照しながら、（１）非記録中・画質確認モード非実行時、（２）非記録中・画質確認モード実行時、（３）記録中・画質確認モード非実行時、（４）記録中・画質確認モード実行時における各部の動作および画像データの伝送経路の具体例を説明する。
【００２４】
（１）非記録中・画質確認モード非実行時
図４には、非記録中・画質確認モード非実行時の画像データの伝送経路を太線で示している。電源がＯＮされると、制御部４は、カメラ部６に撮影開始信号Ｓｃを、符号器５に制御信号Ｓｓ０を、画質確認用データ処理部２に制御信号Ｓｑ０を、そして、読み出し／表示制御部７に表示信号Ｓｄ０を出力する。これによって、カメラ部６で撮影が開始される。読み出し／表示制御部７は、カメラ部６が取得したカメラ画像を表示部８に出力する。セレクタ１１および１２は、符号器５および画質確認用データ処理部２にカメラ画像が入力されないように制御され、符号器５および画質確認用データ処理部２の各部は、非駆動状態に制御される。
【００２５】
（２）非記録中・画質確認モード実行時
図５には、非記録中・画質確認モード実行時の画像データの伝送経路を太線で示している。なお、非記録中・画質確認モード実行時とは、具体的には、例えば、記録前の画質確認時のことをいう。図４に示す状態のとき（非記録中・画質確認モード非実行時）に、画質調整ボタン３２が操作されると、制御部４は、符号器５に制御信号Ｓｓ０を、画質確認用データ処理部２に制御信号Ｓｑ１を、そして、読み出し／表示制御部７に表示信号Ｓｄ１を出力する。これにより、非記録中における画質確認モードの実行が開始される。
【００２６】
第２のＤＣＴ／量子化部１３および第２の逆量子化／ＩＤＣＴ部１４は、カメラ部６が出力した画像データを、順に符号化・復号化処理する。処理後の画像データは、メモリ１５に一時的に格納されて、読み出し／表示制御部７に読み出される。読み出し／表示制御部７は、１フレーム分の新たな画像がメモリ１５に格納される度に、その画像（以下、確認用画像という）を読み出して、表示部８に出力する。
【００２７】
図６（ａ）〜（ｄ）には、画質確認モード実行中の表示方法の例を示している。画質確認モードの実行中には、少なくとも確認用画像が表示部８に表示されるようになっていればよいが、同時にカメラ画像も表示されるようにしてもよい。複数の表示方法の中から表示方法を選択できるようにする場合には、表示切り替えボタン３４の総操作回数に応じて、制御部４が異なる表示信号Ｓｄ１〜Ｓｄ４を出力し、これに応じて読み出し／表示制御部７における画像処理方法が変更されるようにしておけばよい。
【００２８】
より具体的には、例えば、画質確認モード開始操作を含めて表示切り替えボタン３４が４ｎ−３，４ｎ−２，４ｎ−１および４ｎ（ｎは自然数）回目に操作されたときに、制御部４は、図６（ａ），図６（ｂ），図６（ｃ）および図６（ｄ）に示す画像を表示するための表示信号Ｓｄ１，Ｓｄ２，Ｓｄ３およびＳｄ４を出力するようにしておけばよい。
【００２９】
画質確認モード実行中には、画質調整ボタン３２の操作による符号化パラメータの調整が有効になり、ユーザは、表示部８に表示された画像の画質を見ながら、画質調整ボタン３２を操作して画質を調整できる。制御部４は、画質調整ボタン３２の操作に応じた符号化パラメータ設定信号Ｓｐを出力し、これにより、符号器５および画質確認用データ処理部２で用いられる符号化パラメータが変更される。符号化パラメータが変更されると、符号器５および画質確認用データ処理部２におけるデータ圧縮率が変化する。なお、符号化パラメータには、量子化処理時の量子化ステップ・サイズを決める量子化パラメータ等が含まれる。
【００３０】
（３）記録中・画質確認モード非実行時
図７には、記録中・画質確認モード非実行時の画像データの伝送経路を太線で示している。電源ＯＮ時に記録ボタンがＯＮされると、制御部４は、符号器５に制御信号Ｓｓ１を、画質確認用データ処理部に制御信号Ｓｑ０を、また、読み出し／表示制御部７に表示信号Ｓ０を出力する。これによりカメラ部６が取得した画像データが符号器５で処理され、符号器５が出力するビットストリームが記録媒体１０に記録される。記録中・画質確認モード非実行時には、読み出し／表示制御部７は、カメラ部６が出力した画像を表示部８に表示する。
【００３１】
（４）録画中・画質確認モード実行時
図８には、記録中・画質確認モード実行時の画像データの伝送経路を太線で示している。記録中または記録と同時に画質調整ボタン３２が操作されると、制御部４は、画質確認用データ処理部２に制御信号Ｓｑ１を、また、読み出し／表示制御部７に表示信号Ｓｄ１を出力する。これにより、画質確認用データ処理部２が動作し、また、読み出し／表示制御部７は、メモリ１５から読み出した画像を表示部８に表示する。このときに、符号器５は、上述の記録中・画質確認モード非実行時と同様に動作して、符号器５で生成されたビットストリームが記録媒体１０に記録される。記録中の画質確認モード実行時にも、非記録中・画質確認モード実行時と同様に、画質調整ボタン３２および表示切り替えボタンの操作が有効になる。
【００３２】
なお、画質確認モードは、記録ボタン３３の操作によって記録が開始されることと連動して実行されるようにしておいてもよい。また、記録開始前に画質確認モードが実行されなかったときだけ、記録の開始と連動して画質確認モードが実行されるようにしておいてもよい。
【００３３】
なお、画質調整ボタン３２や記録ボタン３３の操作から所定時間が経過すれば画質確認モードが終了するようにしておけば、画質確認終了のためのユーザの操作を減らすことができ、また、ユーザの操作を待たずに符号器５の駆動を停止できるために、消費電力の抑制効果も得られる。その場合には、画質調整ボタン３２の操作（画質確認の開始操作または画質調整のための操作）または、記録ボタン３３の操作が行われると、制御部４が画質確認モード実行状態に各部を制御すると共に、タイマで時間計測を開始し、所定時間に達すると、画質確認モード実行前と同じ状態に各部を制御するようにすればよい。
【００３４】
図９は、画像記録装置１の操作とその制御についてのフローチャートである。電源がＯＮされると、表示部８にカメラ画像が表示されて（ステップＳ１）、指示待ち状態になる。そして、電源がＯＦＦされるまでの間には、ユーザインターフェイス３の操作があれば（ステップＳ２のＹＥＳ）、それに応じた制御がなされる。
【００３５】
具体的には、画質確認モード実行開始ボタンが操作されたときには（ステップＳ３のＹＥＳ）、画質確認モードが実行される。画質確認モード実行中には、画質確認用データ処理部２が駆動状態に制御されて、確認用画像が表示部８に表示される（ステップＳ１０）。なお、ここでいう画質確認モード実行開始ボタンは、個別に設けられたボタンでなくてもよく、画質調整ボタン３２や記録ボタン３３であってもよい。
【００３６】
画質確認モード実行終了ボタン（図示せず）が操作されるか、若しくは、画質確認開始などの操作から所定時間が経過すると、画質確認用データ処理部２は、非駆動状態に制御されて、カメラ画像が表示部８に表示される（ステップＳ４のＹＥＳ、ステップＳ１１）。
【００３７】
また、画質調整ボタン３２が操作されると（ステップＳ５のＹＥＳ）、符号器５および画質確認用データ処理部２で用いられる符号化パラメータが変更されて（ステップＳ１２）、表示部８に表示されている確認用画像の画質が変化する。
【００３８】
また、表示切り替えボタン３４が操作されると（ステップＳ６のＹＥＳ）、現在の表示方法とは異なる表示方法で確認用画像が表示される（ステップＳ１３）。また、記録開始ボタン（記録ボタン３３）が操作されると（ステップＳ７のＹＥＳ）、符号器５が駆動状態に制御されて、記録媒体１０への記録が開始される（ステップＳ１４）。記録終了ボタン（記録ボタン３３）が操作されると（ステップＳ８のＹＥＳ）、符号器５の各部が非駆動状態に制御されて、記録が終了する（ステップＳ１５）。そして、電源ボタン３１が操作されると（ステップＳ８のＮＯ）、電源がＯＦＦされる。
【００３９】
以上説明したように、画質確認モード実行時には、画質確認用データ処理部２が駆動状態に制御されて、カメラ画像に符号器５で行われる符号化処理の一部と復号化処理とを施して得られた画像が、表示部８に表示される。よって、ユーザは、表示部８に表示された、設定中の記録モードで記録した場合の再生画像に相当する画像（確認用画像）を見て画質を確認し、調整することができる。このように、画像記録装置１によれば、記録前に予め、設定中の記録モードで記録した場合の再生画像の画質を確認することができる。
【００４０】
画像記録装置１は、画質確認モードの実行に要する電力量が少ないという利点を有している。画像記録装置で画像を記録して再生する場合には、符号器と復号器とを全て動作させることになるため消費電力が大きいが、本発明に係る画像記録装置１では、画質確認モード実行時には、符号器５の一部に相当する部分だけを動作させるために、その消費電力は小さい。
【００４１】
また、記録媒体等に画像を記録してそれを再生する場合には、同じ場面のカメラ画像と再生画像とを同時に表示することはできないが、本発明に係る画像記録装置１では、同じ場面のカメラ画像と再生画像に相当する画像とをほぼ同時に表示することができる。よって、ユーザは、カメラ画像の画質を基準にして比較しながら、画質を調整することもできる。
【００４２】
なお、画像を記録媒体１０に記録して再生する場合には、画像データにＶＬＣ，ＶＬＤ（Variable Length decoding）処理も施されるが、メモリ１５から読み出される画像は、これらの処理が施されていない画像である。ただし、ＶＬＣ処理は可逆的圧縮処理であるために、ＶＬＣ，ＶＬＤ処理を施した場合と施していない場合とで画質が変化することはない。このような理由と、ＶＬＣ，ＶＬＤ処理時の消費電力量が大きいという理由から、画質確認用データ処理部２には、ＶＬＣ部およびＶＬＤ部を設けていない。
【００４３】
なお、符号器５では、フレーム内符号化画像（Ｉピクチャ）、フレーム間予測画像（Ｐピクチャ）および双方向予測画像（Ｂピクチャ）が生成されることに対して、画質確認用データ処理部２では、フレーム内符号化画像（Ｉピクチャ）のみが生成される。よって、表示部８に表示される動画と、実際の再生画像とは若干異なることになる。しかしながら、その画質の違いの程度は画質判断に支障を来すほどのものではない。
【００４４】
なお、記録中・画質確認モード実行時には、画質確認用データ処理部２を非駆動状態に制御して、符号器５内のフレームメモリ２７に格納された画像を読み出して表示部８に表示するようにすれば、消費電力量をさらに低減することが可能になる。ただし、フレームメモリ２７には双方向予測画像（Ｂピクチャ）が格納されないために、フレームメモリ２７から読み出して表示した画像の動きの滑らかさは、再生画像よりも劣るおそれもある。
【００４５】
なお、以上の説明では復号器について触れていないが、本発明に係る画像記録装置１は、記録媒体１０に格納された符号化された画像データを復号化する復号器を備えていてもよい。なお、以上に説明した、制御部４、符号器５、読み出し／表示制御部７で行われる処理は、ハードウェア処理であっても、ソフトウェア処理であってもよい。
【産業上の利用可能性】
【００４６】
本発明は、カムコーダなど、撮影した画像データを圧縮して記録する画像記録装置に有用である。
【図面の簡単な説明】
【００４７】
【図１】本発明に係る画像記録装置のブロック図
【図２】図１に示す画像記録装置の外観図の一例を示した図
【図３】図１に示す画像記録装置の構成の例をさらに詳細に示したブロック図
【図４】非記録中・画質確認モード非実行時の画像データ経路を説明する図
【図５】非記録中・画質確認モード実行時の画像データ経路を説明する図
【図６】画質確認モード実行中の表示例を示した図
【図７】記録中・画質確認モード非実行時のデータ経路を説明する図
【図８】記録中・画質確認モード実行時のデータ経路を説明する図
【図９】本発明に係る画像記録装置の駆動方法を示したフローチャート
【符号の説明】
【００４８】
１  画像記録装置
２  画質確認用データ処理部
３  ユーザインターフェイス
４  制御部
５  符号器
６  カメラ部
７  読み出し／表示制御部
８  表示部
１０  記録媒体
１１、１２  セレクタ
１３  第２のＤＣＴ／量子化部
１４  第２の逆量子化／ＩＤＣＴ部
１５  メモリ
１６  符号化・復号化部
２１  差分器
２２  第１のＤＣＴ／量子化部
２３  可変長符号化（ＶＬＣ）部
２４  第１の逆量子化／ＩＤＣＴ部
２５  動き検出部
２６  動き補償部
２７  フレームメモリ
２８  加算器
３１  電源ボタン
３２  画質調整ボタン
３３  記録ボタン
３４  表示切り替えボタン
３６  カメラレンズ
３８  表示画面
【図１】
2006319641.tif 000003
【図２】
2006319641.tif 000004
【図３】
2006319641.tif 000005
【図４】
2006319641.tif 000006
【図５】
2006319641.tif 000007
【図６】
2006319641.tif 000008
【図７】
2006319641.tif 000009
【図８】
2006319641.tif 000010
【図９】
2006319641.tif 000011